(57)【要約】【課題】鮮明な日時表示を行うとともにし、電池寿命を長期間維持でき、かつ製造コストを低減する。【解決手段】分の表記１０１の各文字は、数字の８の字を形成する７つのＬＥＤ３０７により表示され、時の表記１０２は、一般的なアナログ時計において時刻数字が表示される位置に対応して配置された１２個のＬＥＤ３０７のうちいずれか１つにより表示される。これにより、時の表記１０２を表示するために消費される電力がＬＥＤ（３０７）１個分で済むため、消費電力を抑えることができ、かつ表示される文字による消費電力のばらつきを小さくすることができる。【選択図】        図１
2008309635.tif 000002
【特許請求の範囲】
【請求項１】
時刻表記または日付表記のうち第１の表記の文字単位に第１所定数割り当てられた発光素子を有する第１の発光素子群と、
前記時刻表記または前記日付表記のうち前記第１の表記以外の第２の表記に対して、前記第１所定数より少ない第２所定数割り当てられた発光素子を有する第２の発光素子群と、
電力供給により日付または時刻の進行に応じて前記第１の発光素子群及び前記第２の発光素子群の各発光素子を駆動して発光させる駆動部と、
前記駆動部に対して電力を供給する電力供給部と、
を備えたことを特徴とするデジタル時計。
【請求項２】
前記第１の発光素子群の各発光素子に対向する位置に穿孔された第１の開口部、および前記第２の発光素子群の各発光素子に対向する位置に前記第２の表記を示す形状に穿孔された第２の開口部を有し、前記第１の発光素子群および前記第２の発光素子群の各発光素子から発光された光の散乱を、前記第１の開口部以外の部分および前記第２の開口部以外の部分により遮光する遮光部材をさらに備えたことを特徴とする請求項１に記載のデジタル時計。
【請求項３】
前記第１の発光素子群の各発光素子に対応する位置に穿孔された第１の開口部および前記第２の発光素子群の各発光素子に対向する位置に穿孔された第２の開口部を有し、前記第１の発光素子群および前記第２の発光素子群の各発光素子から発光された光の散乱を、前記第１の開口部以外の部分および前記第２の開口部以外の部分により遮光する遮光部材と、
前記遮光部材と、前記第１の発光素子群および前記第２の発光素子群と、の上方に設けられ、前記第２の発光素子群の各発光素子に対向する位置に前記第２の表記を示す文字が裏面に印刷され、前記文字が印刷された部分以外の部分から、前記第１の発光素子群および前記第２の発光素子群の各発光素子から発光された光を所定の透過率で透過させる板状部材と、
をさらに備えたことを特徴とする請求項１に記載のデジタル時計。
【請求項４】
前記板状部材の上方に設けられ、回転駆動されて前記第２の表記の文字を指示する指針と、
時間の経過に伴い前記指針を回転駆動させる駆動部と、
をさらに備えたことを特徴とする請求項３に記載のデジタル時計。
【請求項５】
前記第１の発光素子群の各発光素子に対向する位置に穿孔された第１の開口部および前記第２の発光素子群の各発光素子に対向する位置に穿孔された第２の開口部を有し、前記第１の発光素子群および前記第２の発光素子群の各発光素子から発光された光の散乱を、前記第１の開口部以外の部分および前記第２の開口部以外の部分により遮光する遮光部材と、
前記第１の発光素子群および前記第２の発光素子群の各発光素子から発光された光を所定の透過率で透過させる板状部材と、
前記板状部材の下方であって、前記第１の発光素子群および前記第２の発光素子群の上方に設けられ、前記第２の発光素子群の各発光素子に対向する位置に前記第２の表記を示す文字が印刷され、前記文字が印刷された部分以外の部分から、前記第１の発光素子群および前記第２の発光素子群の各発光素子から発光された光を透過させる透明部材と、
をさらに備えたことを特徴とする請求項１に記載のデジタル時計。
【請求項６】
前記第１の発光素子群および前記第２の発光素子群の各発光素子は、前記第１の開口部および前記第２の開口部に嵌め込まれていることを特徴とする請求項３から５のいずれか一に記載のデジタル時計。
【請求項７】
前記第１の発光素子群は、７セグメントの発光素子で前記第１の表記の各文字を表示することを特徴とする請求項１から６のいずれか一に記載のデジタル時計。
【請求項８】
前記第２の発光素子群は、前記第１の発光素子群の外周に３０度間隔で配置された１２個の発光素子を有することを特徴とする請求項１から７のいずれか一に記載のデジタル時計。
【請求項９】
前記第２の発光素子群は、前記第１の発光素子群の外周に１５度間隔で配置された２４個の発光素子を有することを特徴とする請求項１から７のいずれか一に記載のデジタル時計。
【発明の詳細な説明】
【技術分野】
【０００１】
本発明は、デジタル時計に関するものであり、特に発光素子により時刻または日付を表示するデジタル時計に関するものである。
【背景技術】
【０００２】
従来、４桁の数字とコロンを用いて時刻およびカレンダーを表示するデジタル時計が知られている。これらデジタル時計では、４桁の数字とコロンは複数のセグメントにより表示され、セグメントごとにＬＥＤ（Light Emitting Diode）を用いて発光させるのが一般的である。
【０００３】
図２２は、４桁の数字とコロンを表示する各セグメントに割り当てられたＬＥＤの配置を示す図である。図２３は、図２２に示す各ＬＥＤに対応する位置に穿孔された開口部を有し、ＬＥＤから発光された光の散乱を、開口部以外の部分により遮光する遮光板を示す図である。４桁の数字は、文字単位に７つのセグメントにより表示され、各セグメントにＬＥＤ２２０１が割り当てられている。また、４桁の数字の２桁目と３桁目の間にあるコロンは、２つのセグメントにより表示され、各セグメントにＬＥＤ２２０２が割り当てられている。各ＬＥＤ（２２０１、２２０２）から発光された光は、遮光板２３００の開口部２３０１から上方へ散乱する。利用者は散乱した光により４桁の数字とコロンを認識する。
【０００４】
例えば、特許文献１では、４桁の数字を文字単位に７つのセグメントにより表示し、各セグメントに割り当てられたＬＥＤの発光動作により現在の時間を表示することで、周囲が暗くてアナログ時計の指針またはＬＣＤ時計の時間判読が不可能な時でも正確かつ容易に時間を判読することができる。
【０００５】
【特許文献１】特開平０８−１２２４６８号公報
【発明の開示】
【発明が解決しようとする課題】
【０００６】
しかしながら、特許文献１に記載された発明は、ＬＥＤで４桁の数字とコロンとを表示するため、表示には大きな電流が必要となり、電力の大きいリチウム電池を搭載しなければならないという問題がある。また、消費電力を少なくするために、電池から流れる電流を小さくすると、ＬＥＤの輝度が低下し、鮮明な時刻表示を行うことができないという問題がある。
【０００７】
また、４桁の数字を文字単位に７つのセグメントで時刻を表示した場合、表示される時刻によって使用されるセグメントの数にばらつきが生じる。例えば、１時１１分を表示した場合には６個のセグメントしか使用されないが、２０時０８分を表示した場合には２４個のセグメントが使用される。そのため、表示される時刻によるセグメント数のばらつきによって電池の消費電圧が変化するので、電圧検出の精度が悪くなる。その結果、電池容量の約５５％までしか電池を使用できず、電池の寿命が短くなってしまうという問題がある。
【０００８】
また、1608サイズの安価なＬＥＤを使用して４桁の数字を表示した場合、女性用の小型の腕時計に４桁の数字を表示する全てのセグメントが収納できない。このため、女性用の小型の腕時計の場合には、男性用の腕時計に使用するＬＥＤのサイズより小さな1005サイズのＬＥＤを使用して４桁の数字を表示する必要がある。しかしながら、1005サイズのＬＥＤは、1608サイズのＬＥＤに比べて高価であるため、腕時計の製造コストが増大するという問題がある。
【０００９】
本発明は、上記に鑑みてなされたものであって、鮮明な日時表示を行うと共に、電池寿命を長期間維持でき、かつ製造コストを低減することができるデジタル時計を提供することを目的とする。
【課題を解決するための手段】
【００１０】
上述した課題を解決し、目的を達成するために、請求項１にかかる発明は、時刻表記または日付表記のうち第１の表記の文字単位に第１所定数割り当てられた発光素子を有する第１の発光素子群と、前記時刻表記または前記日付表記のうち前記第１の表記以外の第２の表記に対して、前記第１所定数より少ない第２所定数割り当てられた発光素子を有する第２の発光素子群と、電力供給により日付または時刻の進行に応じて前記第１の発光素子群及び前記第２の発光素子群の各発光素子を駆動して発光させる駆動部と、前記駆動部に対して電力を供給する電力供給部と、を備えたことを特徴とする。
【００１１】
また、請求項２にかかる発明は、請求項１にかかる発明において、前記第１の発光素子群の各発光素子に対向する位置に穿孔された第１の開口部、および前記第２の発光素子群の各発光素子に対向する位置に前記第２の表記を示す形状に穿孔された第２の開口部を有し、前記第１の発光素子群および前記第２の発光素子群の各発光素子から発光された光の散乱を、前記第１の開口部以外の部分および前記第２の開口部以外の部分により遮光する遮光部材をさらに備えたことを特徴とする。
【００１２】
また、請求項３にかかる発明は、請求項１にかかる発明において、前記第１の発光素子群の各発光素子に対応する位置に穿孔された第１の開口部および前記第２の発光素子群の各発光素子に対向する位置に穿孔された第２の開口部を有し、前記第１の発光素子群および前記第２の発光素子群の各発光素子から発光された光の散乱を、前記第１の開口部以外の部分および前記第２の開口部以外の部分により遮光する遮光部材と、前記遮光部材と、前記第１の発光素子群および前記第２の発光素子群と、の上方に設けられ、前記第２の発光素子群の各発光素子に対向する位置に前記第２の表記を示す文字が裏面に印刷され、前記文字が印刷された部分以外の部分から、前記第１の発光素子群および前記第２の発光素子群の各発光素子から発光された光を所定の透過率で透過させる板状部材と、をさらに備えたことを特徴とする。
【００１３】
また、請求項４にかかる発明は、請求項３にかかる発明において、前記板状部材の上方に設けられ、回転駆動されて前記第２の表記の文字を指示する指針と、時間の経過に伴い前記指針を回転駆動させる駆動部と、をさらに備えたことを特徴とする。
【００１４】
また、請求項５にかかる発明は、請求項１にかかる発明において、前記第１の発光素子群の各発光素子に対向する位置に穿孔された第１の開口部および前記第２の発光素子群の各発光素子に対向する位置に穿孔された第２の開口部を有し、前記第１の発光素子群および前記第２の発光素子群の各発光素子から発光された光の散乱を、前記第１の開口部以外の部分および前記第２の開口部以外の部分により遮光する遮光部材と、前記第１の発光素子群および前記第２の発光素子群の各発光素子から発光された光を所定の透過率で透過させる板状部材と、前記板状部材の下方であって、前記第１の発光素子群および前記第２の発光素子群の上方に設けられ、前記第２の発光素子群の各発光素子に対向する位置に前記第２の表記を示す文字が印刷され、前記文字が印刷された部分以外の部分から、前記第１の発光素子群および前記第２の発光素子群の各発光素子から発光された光を透過させる透明部材と、をさらに備えたことを特徴とする。
【００１５】
また、請求項６にかかる発明は、請求項３から５のいずれか一にかかる発明において、前記第１の発光素子群および前記第２の発光素子群の各発光素子は、前記第１の開口部および前記第２の開口部に嵌め込まれていることを特徴とする。
【００１６】
また、請求項７にかかる発明は、請求項１から６のいずれか一にかかる発明において、前記第１の発光素子群は、７セグメントの発光素子で前記第１の表記の各文字を表示することを特徴とする。
【００１７】
また、請求項８にかかる発明は、請求項１から７のいずれか一にかかる発明において、前記第２の発光素子群は、前記第１の発光素子群の外周に３０度間隔で配置された１２個の発光素子を有することを特徴とする。
【００１８】
また、請求項９にかかる発明は、請求項１から７のいずれか一にかかる発明において、前記第２の発光素子群は、前記第１の発光素子群の外周に１５度間隔で配置された２４個の発光素子を有することを特徴とする。
【発明の効果】
【００１９】
請求項１にかかる発明によれば、時刻表記または日付表記のうち第１の表記以外の第２の表記に割り当てられる発光素子の数を、第１の表記の文字単位に割り当てられる発光素子の数より少なくすることで、消費電力を低減することができ、かつ低消費電力にて鮮明な日時表示を可能とするという効果を奏する。また、表示される文字により使用される発光素子の数にばらつきが小さくなるため、表示される文字により消費電力が大きく変化せず、その結果、電池寿命を長時間維持することができるという効果を奏する。
【００２０】
また、請求項２にかかる発明によれば、第２の表記を示す形状に穿孔された開口部を遮光板に穿孔し、第２の発光素子群の各発光素子から発光された光の散乱を、第２の開口部以外の部分により遮光して第２の表記を文字によりデジタル表示するので、時刻表記または日付表記を容易に判別することができるという効果を奏する。
【００２１】
また、請求項３または５にかかる発明によれば、板状部材の裏面または透明部材の表面に印刷された文字の影を投影して第２の表記をデジタル表示するので、第２の表記が複雑な文字により構成される場合であっても、当該文字により第２の表記をデジタル表示することができるという効果を奏する。
【００２２】
また、請求項４にかかる発明によれば、通常のアナログ時計を実装したので、時刻表記と日付表記とを同時に表示可能なデジタル時計を安価に実現することができるという効果を奏する。
【００２３】
また、請求項６にかかる発明によれば、第１の発光素子群および第２の発光素子群の各発光素子が、第１の開口部および第２の開口部に嵌め込まれることとしたので、発光素子から発光された光の第１の開口部および第２の開口部以外の部分への散乱を、より高い精度で遮光することができるという効果を奏する。
【００２４】
また、請求項７にかかる発明によれば、７セグメントの発光素子で第１の表記の各文字を表示することとしたので、第２の表記をより容易に判別することができるという効果を奏する。
【００２５】
また、請求項８にかかる発明によれば、第２の発光素子群は、第１の発光素子群の外周に３０度間隔で配置された１２個の発光素子を有する第２の発光素子群により第２の表記を示すこととしたので、例えば、時の表記または月の表記が一般的なアナログ時計と同様の位置において表示されるため、時刻表記または日付表記を容易に判別することができるという効果を奏する。
【００２６】
また、請求項９にかかる発明によれば、第１の発光素子群の外周に１５度間隔で配置された２４個の発光素子を有する第２の発光素子群により第２の表記を示すこととしたので、時刻表記を２４時間表示で示すことができるという効果を奏する。
【発明を実施するための最良の形態】
【００２７】
以下に添付図面を参照して、この発明にかかるデジタル時計の最良な実施の形態を詳細に説明する。
【００２８】
（第１の実施の形態）
図１は、本実施の形態にかかるデジタル時計により表示される時刻表記の表示例を示した説明図である。図１に示した時刻表記では、１２時３４分を表している。このように、本実施の形態においては、００〜５９で表示される分の表記１０１を示す２桁の文字を文字単位に７つのセグメントのＬＥＤにより表示し、かつ００〜１２で表示される時の表記１０２の各表記を、一般的なアナログ時計において時刻数字が表示される位置に対向して配置されたＬＥＤのいずれか１つにより表示する。なお、分の表記１０１は第１の表記を示し、時の表記１０２は第２の表記を示している。
【００２９】
また、本実施の形態にかかるデジタル時計により表示される表記は日付表記であっても良い。図２に示した日付表記では、１２月３１日を表している。このように、本実施の形態においては、０１〜３１で表示される日の表記２０１を２桁の文字を文字単位に７つのセグメントのＬＥＤにより表示し、かつ０１〜１２で表示される月の表記２０２の各表記を１つのＬＥＤにより表示する。なお、日の表記２０１は第１の表記を示し、月の表記２０２は第２の表記を示している。
【００３０】
さらに、本実施の形態にかかるデジタル時計において、文字単位に７つのセグメントのＬＥＤにより表示される２桁の文字は、秒、西暦の下２桁であってもよい。００〜５９で表示される秒、または００〜９９で表示される西暦の下２桁を表示する場合、秒または西暦の下２桁の２桁の文字を文字単位に７つのセグメントにより表示する。なお、秒または西暦の下２桁は第１の表記を示している。
【００３１】
図３は、第１の実施の形態にかかるデジタル時計３００の構造を示す断面図である。本図に示すように、このデジタル時計３００は、裏ブタ３０１と、電池３０２と、リジット基板３０３と、ＬＥＤ駆動回路３０４と、遮光板３０６と、ＬＥＤ３０７と、文字板３０８と、ＦＰＣ基板３０９と、ケース３１０と、風防ガラス３１１と、を備えている。
【００３２】
本実施の形態にかかるデジタル時計３００は、略円筒形状のケース３１０と、ケース３１０の底面側端面でねじにより取り付けられ、プラスチックや強磁性体以外の非磁性材である裏ブタ３０１と、ケース３１０の上面側端面（すなわちデジタル時計３００の表面側）に固着されて内部のモジュールを保護するための風防ガラス３１１とを備え、ケース３１０と裏ブタ３０１と風防ガラス３１１とでデジタル時計３００の外形を形成している。
【００３３】
そして、デジタル時計３００は、ケース３１０と裏ブタ３０１と風防ガラス３１１とで形成された外形の中に、電池３０２と、屈曲部３０５を有し断面略逆コの形状であるＦＰＣ基板３０９と、硬質の材料を用いた基板であるリジット基板３０３と、ＬＥＤ３０７と、ＬＥＤ３０７を駆動して発光させるＬＥＤ駆動回路３０４と、遮光板３０６と、文字板３０８とを収納した内部構造となっている。
【００３４】
具体的には、ケース３１０と裏ブタ３０１と風防ガラス３１１とで形成された外形の内部の最下部に電池３０２を収納し、電池３０２の上方にＦＰＣ基板３０９を設け、ＦＰＣ３０９の屈曲部３０５より下側の面上にリジット基板３０３を設けている。そして、デジタル時計３００は、さらに、リジット基板３０３の上にＬＥＤ駆動回路３０４を装着し、ＦＰＣ基板３０９の屈曲部３０５より上側の面上に複数のＬＥＤ３０７を配置して、ＦＰＣ基板３０９によってＬＥＤ駆動回路３０４とＬＥＤ３０７とを接続している。また、デジタル時計３００は、これらのＬＥＤ３０７の上方に遮光板３０６を設け、遮光板３０６の上に文字板３０８を積層した構造となっている。
【００３５】
電池３０２は、電源供給を構成し、後述するＬＥＤ駆動回路３０４に対して電力を供給する電源供給部である。本実施の形態では、3Vの一次電池を用いた。
【００３６】
ＬＥＤ駆動回路３０４は、時間の経過による時刻の進行に応じて、電池３０２からの電力の供給によりＬＥＤ３０７に順方向電流を通電してＬＥＤ３０７を発光させる回路である。
【００３７】
文字板３０８は、時刻表記または日付表記が映し出される板状部材であり、ＬＥＤ３０７から光が発光されると、後述する遮光板３０６により導光され光を所定の光透過率で透させ、時刻表記または日付表記がデジタル表示として映し出される。また、文字板３０８の光透過率は、好ましくは、３０〜７０％とする。さらに、文字板３０８は、好ましくは、所定の光透過率をもって、裏面に光拡散のための白色系の塗料が塗装されているものとする。ＬＥＤ３０７から発光された光は、文字板３０８の塗装により開口部（５０１、５０２）内で良好に散乱し、鮮明なデジタル表示を実現する。
【００３８】
ＬＥＤ３０７は、発光素子を構成し、ＬＥＤ駆動回路３０４からの通電により発光する発光ダイオードである。本実施の形態においては、薄型チップＬＥＤ（デジタル表示用）を用い、各薄型チップＬＥＤはＦＰＣ基板３０９に固定されている。
【００３９】
図４は、ＦＰＣ基板３０９上に配置された複数のＬＥＤ３０７の配置例を示した説明図である。本実施の形態においては、ＦＰＣ基板３０９上に、図１で示した分の表記１０１または図２に示した日の表記２０１に対して、文字単位に７つ割り当てられたＬＥＤ３０７を有する第１の発光素子群４０１と、図１で示した時の表記１０２または図２で示した月の表記２０２に対して、第１の発光素子群４０１の文字単位の割り当て数７つより小さい数として１つ割り当てられたＬＥＤ３０７を有する第２の発光素子群４０２とが平面的に並べられている。
【００４０】
つまり、分の表記１０１または日の表記２０１の各文字は、数字の８の字を形成する７つのＬＥＤ３０７により表示され、時の表記１０２または月の表記２０２の各文字は、一般的なアナログ時計において時刻数字が表示される位置に対応して配置された１２個のＬＥＤ３０７のうちいずれか１つにより表示される。
【００４１】
これにより、時の表記１０２または月の表記２０２を表示するために消費される電力がＬＥＤ（３０７）１個分で済むため、消費電力を抑えることができ、かつ表示される文字による消費電力のばらつきを小さくすることができる。したがって、低消費電力であっても鮮明な日時表示を可能にすると共に、電池寿命を長期間維持できる。
【００４２】
上述したように本実施の形態に係るデジタル時計は、分の表記１０１または日の表記２０１を示す２桁の文字のみが文字単位に７つのＬＥＤ３０７により表示される。つまり、時の表記１０２または月の表記２０２を示す２桁の文字に対して、文字単位に７つのＬＥＤ３０７が割り当てられていた従来のデジタル時計と比べると、本実施の形態にかかるデジタル時計では、ＬＥＤが占める領域を削減することができる。このため、小型の腕時計であっても４桁の文字をデジタル表示することができ、小型なＬＥＤを用いることによる製造コストの増大を回避することができる。
【００４３】
なお、分の表記１０１または日の表記２０１の各文字を表示するＬＥＤ３０７の数は、０から９を表示できるものであれば良い。また、時の表記１０２または月の表記２０２の各表記を表示するＬＥＤ３０７の数は、分の表記１０１または日の表記２０１の各文字を表示するＬＥＤ３０７の数より少なければ良い。
【００４４】
図３に戻り、遮光板３０６は、ＬＥＤ３０７から発光された光の散乱を、各ＬＥＤ３０７に対向する位置に穿孔された開口部（５０１、５０２）以外の部分により遮光する。
【００４５】
図５は、遮光板３０６の表裏を貫通して穿孔された開口部（５０１、５０２）の例を示した説明図である。開口部（５０１、５０２）は、ＦＰＣ基板３０９上に配置された第１の発光素子群４０１および第２の発光素子群４０２の各ＬＥＤ３０７に対向する位置に穿孔されている。本実施の形態にかかる遮光板３０６は、第１の発光素子群４０１の各ＬＥＤ３０７に対向する位置に開口部５０１が穿孔され、当該開口部５０１により数字の８の字を形成する。また、遮光板３０６は、第２の発光素子群４０２の各ＬＥＤ３０７に対向する位置に、アナログ時計における各時刻数字の形状の開口部５０２が穿孔されている。
【００４６】
各開口部（５０１、５０２）には、ＬＥＤ３０７がそれぞれ１つ対向して配置される。これにより、ＬＥＤ３０７から発光された光は、開口部（５０１、５０２）以外の部分により遮光される。そして、開口部（５０１、５０２）を通過した光は、文字板３０８を透して、時刻表記または日付表記を表示する。
【００４７】
なお、第１の発光素子群４０１のＬＥＤ３０７に対向する位置に穿孔された開口部５０１は第１の開口部を構成し、第２の発光素子群４０２のＬＥＤ３０７に対向する位置に穿孔された開口部５０２は第２の開口部を構成する。
【００４８】
また、開口部５０１は、複数の開口の形状から０から９の分の表記１０１または日の表記２０１の各文字を識別できるものであれば良い。また、開口部５０２は、各開口から時の表記１０２または月の表記２０２を識別することができるものであれば良い。
【００４９】
さらに、遮光板３０６の表面は、好ましくは、黒色等の遮光性の高い色の樹脂材料により塗装されているものとする。また、遮光板３０６の開口部（５０１、５０２）内部は、好ましくは、白色系の塗料により塗装されているものとする。
【００５０】
上述の第１の実施の形態にかかるデジタル時計３００の構成により、図１または図２に示した日時の表示が可能となる。具体的には、本実施の形態にかかるデジタル時計３００は、分の表記１０１または日の表記２０１を第１の発光素子群４０１が有するＬＥＤ３０７から発光される光を開口部５０１により導光してデジタル表示し、時の表記１０２または月の表記２０２を第２の発光素子群４０２が有するＬＥＤ３０７のうちいずれか１つから発光される光を開口部５０２により導光してデジタル表示する。
【００５１】
このように、第１の実施の形態にかかるデジタル時計３００では、時の表記１０２または月の表記２０２の各表記に割り当てられるＬＥＤ３０７の数を、分の表記１０１または日の表記２０１の文字単位に割り当てられるＬＥＤ３０７の数より少なくすることにより、消費電力を低減することができ、かつ低消費電力にて鮮明な日時表示を可能とする。また、表示される文字により使用されるＬＥＤ３０７の数にばらつきがなくなるため、表示される文字により消費電力が大きく変化せず、その結果、電池寿命を長時間維持することができる。
【００５２】
また、第１の実施の形態にかかるデジタル時計３００では、分の表記１０１または日の表記２０１を示す２桁の文字のみを文字単位に７つのＬＥＤ３０７により表示し、時の表記１０２または月の表記２０２を示す２桁の文字は１つのＬＥＤ３０７により表示するため、小型の腕時計であっても４桁の文字をデジタル表示することができ、小型なＬＥＤを用いることによる製造コストの増大を回避することができる。
【００５３】
また、上述した第１の実施の形態に限定されるものではなく、以下に例示するような種々の変形が可能である。
【００５４】
（第１の実施の形態の変形例１）
上述の第１の実施の形態にかかるデジタル時計３００は、一般的なアナログ時計と同様に、図１に示す時の表記１０２を１から１２で表示した。このため、デジタル時計３００は、午前と午後の区別をすることができない。
【００５５】
そこで、本変形例では、午後の時の表記１０２を表示する場合、図４に示す１２時の位置に配置されたＬＥＤ３０７を常に点灯または点滅の周期を変える。これにより、本変形例では、時の表記１０２の午前と午後とを区別できるようにする。もしくは、図４に示す第２の発光素子群４０２が有する１２個のＬＥＤ３０７を多色発光可能なＬＥＤにより構成し、時の表記１０２の午前と午後とでＬＥＤ３０７に点灯する色を変える。これにより、本変形例では、午前と午後とを区別できるようにする。
【００５６】
（第１の実施の形態の変形例２）
上述の第１の実施の形態にかかるデジタル時計３００は、図１に示す時刻表記と図２に示す日付表記とが同様のＬＥＤ３０７を用いて表示されることとしたので、表示されている表記が時刻表記または日付表記であるかを一見して区別することができない。
【００５７】
そこで、本変形例では、図４に示す第２の発光素子群４０２が有する１２個のＬＥＤ３０７を多色発光可能なＬＥＤにより構成し、時刻表記と日付表記とでＬＥＤ３０７に点灯する色を変える。これにより、図１または図２に示す時刻表記と日付表記とを区別できるようにする。
【００５８】
（第１の実施の形態の変形例３）
上述の第１の実施の形態にかかるデジタル時計３００は、上述の変形例１および変形例２で述べたように、午前と午後および時刻表記と日付表記を容易に区別することができない。
【００５９】
そこで、本変形例では、図１に示す時刻表記または図２に示す日付表記に加え、午前、午後、または日付表記を識別する表示を用いて、午前と午後および時刻表記と日付表記を容易に識別できるように場合について説明する。なお、上述した第１の実施の形態と同様の点については説明を省略する。
【００６０】
図６は、本変形例にかかるデジタル時計３００により表示される時刻表記の表示例を示した説明図である。図６に示した時刻表記では、１２時３４分を表している。このように、本変形例においては、分の表記１０１および時の表記１０２に加え、午前と午後および時刻表記と日付表記を識別する表示６０１を、分の表記１０１を示す２桁の文字の下に表示する。
【００６１】
図７は、ＦＰＣ基板３０９上に配置された複数のＬＥＤ３０７の配置例を示した説明図である。表示６０１には、午前、午後、または日付表記を識別する３つのＬＥＤ３０７が割り当てられる。つまり、本変形例にかかるデジタル時計３００は、第１の実施形態の構成に加え、ＦＰＣ基板２０９上に３つのＬＥＤ３０７を有する第３の発光素子群７０１が配置されたものである。
【００６２】
つまり、本変形例にかかるデジタル時計３００は、第１の実施の形態の構成に加え、午前と午後および時刻表記と日付表記を識別する表示６０１が、第３の発光素子群７０１が有する３個のＬＥＤ３０７のうちいずれか１つにより表示される。
【００６３】
図８は、遮光板３０６の表裏を貫通して穿孔された開口部の例を示した説明図である。開口部（５０１、５０２、８０１）は、ＦＰＣ基板３０９上に配置された第１の発光素子群４０１、第２の発光素子群４０２、および第３の発光素子群７０１の各ＬＥＤ３０７に対向する位置に穿孔される。
【００６４】
本変形例にかかる遮光板３０６は、第１の実施の形態の構成に加え、第３の発光素子群７０１の各ＬＥＤ３０７に対向する位置に、３つの円形状の開口部８０１が穿孔される。開口部８０１が有する開口の形状は、午前と午後および時刻表記と日付表記を区別できるものであれば良い。
【００６５】
開口部８０１には、ＬＥＤ３０７がそれぞれ１つ対向して配置される。これにより、ＬＥＤ３０７から発光された光は、開口部８０１以外の部分により遮光される。一方、開口部８０１を通過した光は、文字板３０８を透して、午前と午後および時刻表記と日付表記を識別する表示６０１をデジタル表示する。
【００６６】
（第１の実施の形態の変形例４）
上述の第１の実施の形態にかかるデジタル時計３００は、上述の変形例２で述べたように、午前と午後とを容易に区別することができない。
【００６７】
そこで、本変形例では、図１に示す時の表記１０２を００〜２３で表示する。これにより、午前と午後の時刻表記を容易に区別することができる。
【００６８】
図９は、本変形例にかかるデジタル時計３００により表示される時刻表記の表示例を示した説明図である。図９に示した時刻表記では、１２時３４分を表している。このように、本変形例においては、第１の実施の形態の構成に加え、時の表記９０２を００〜２３で表示する。これにより、本変形例にかかるデジタル時計３００は、時の表記９０１が午前または午後であるかを容易に区別することができる。
【００６９】
図１０は、ＦＰＣ基板３０９上に配置された複数のＬＥＤ３０７の配置例を示した説明図である。時の表記９０１には、２４個のＬＥＤ３０７が割り当てられる。つまり、本変形例にかかるデジタル時計３００は、第１の実施形態の構成に加え、ＦＰＣ基板２０９上に２４個のＬＥＤ３０７を有する第２の発光素子群１００１が配置されたものである。
【００７０】
つまり、本変形例にかかるデジタル時計３００は、第１の実施の形態の構成に加え、時の表記９０１の各文字は、２４個のＬＥＤ３０７のうちいずれか１つにより表示される。これにより、本変形例にかかるデジタル時計３００は、時の表記９０１の午前と午後とを容易に識別することができる。
【００７１】
図１１は、遮光板３０６の表裏を貫通して穿孔された開口部の例を示した説明図である。開口部（５０１、１１０１）は、ＦＰＣ基板３０９上に配置された第１の発光素子群４０１、第２の発光素子群１００１の各ＬＥＤ３０７に対向する位置に穿孔される。
【００７２】
本変形例にかかる遮光板３０６は、第１の実施の形態の構成に加え、第２の発光素子群１００１の各ＬＥＤ３０７に対向する位置に、時の表記９０１を示す００〜２３の形状の開口部１１０１が穿孔される。
【００７３】
開口部１１０１には、ＬＥＤ３０７がそれぞれ１つずつ対向して配置される。これにより、ＬＥＤ３０７から発光された光は、開口部１１０１以外の部分により遮光される。一方、開口部１１０１を通過した光は、文字板３０８を透して、時の表記９０１をデジタル表示する。
【００７４】
（第２の実施の形態）
上述の第１の実施の形態においては、時刻表記または日付表記のうち時の表記１０２または月の表記２０２を、第２の発光素子群４０２が有するＬＥＤ３０７から発光される光を開口部５０２により導光してデジタル表示することとした。しかしながら、遮光板３０６に時の表記１０２または月の表記２０２を示す文字の形状を穿孔して開口部５０２を形成しなければならないため、複雑な文字の形状の場合、当該文字の形状に開口部５０２を穿孔することができない。第２の実施の形態にかかるデジタル時計では、文字板の裏面に時の表記または月の表記を表す文字を印刷し、文字板へ印刷された文字によりＬＥＤから発光された光を遮り、当該文字の影を投影して時の表記または月の表記をデジタル表示するものである。
【００７５】
図１２は、本実施の形態にかかるデジタル時計により表示される時刻表記の表示例を示した説明図である。図１２に示した時刻表記では、１時３４分を表している。このように、本実施の形態においては、第１の実施の形態の構成に加え、００〜１２で表示される時の表記１２０１を、一般的なアナログ時計において時刻数字が表示される位置に対向して配置されたＬＥＤのいずれか１つにより表示する。なお、分の表記１０１は第１の表記を示し、時の表記１２０１は第２の表記を示している。
【００７６】
また、本実施の形態にかかるデジタル時計により表示される表記は日付表記であっても良い。図１３に示した日付表記では、１月３１日を表している。このように、本実施の形態においては、第１の実施の形態の日の表記２０１に加え、０１〜１２で表示される月の表記１３０１を１つのＬＥＤにより表示する。なお、日の表記２０１は第１の表記を示し、月の表記１３０１は第２の表記を示している。
【００７７】
さらに、本実施の形態にかかるデジタル時計において、各文字が７つのセグメントのＬＥＤにより表示される２桁の文字は、第１の実施の形態と同様に、秒、西暦の下２桁であってもよい。
【００７８】
図１４は、第２の実施の形態にかかるデジタル時計１４００の構造を示す断面図である。本図に示すように、このデジタル時計１４００は、裏ブタ３０１と、電池３０２と、リジット基板３０３と、ＬＥＤ駆動回路３０４と、遮光板１４０１と、ＬＥＤ３０７と、文字板１４０２と、ＦＰＣ基板３０９と、ケース３１０と、風防ガラス３１１と、を備えている。以下の説明では、上述した第１の実施の形態と同一の構成要素には同一の符号を付してその説明を省略している。
【００７９】
本実施の形態にかかるデジタル時計１４００は、第１の実施の形態と同様の構造により形成された外形の中に、電池３０２と、ＦＰＣ基板３０９と、リジット基板３０３と、ＬＥＤ３０７と、ＬＥＤ駆動回路３０４と、遮光板１４０１と、文字板１４０２とを収納した内部構造となっている。
【００８０】
具体的には、本実施の形態にかかるデジタル時計１４００は、第１の実施の形態の構成に加え、ＦＰＣ基板３０９の面上に配置された各ＬＥＤ３０７を遮光板１４０１に穿孔された開口部（５０１、１６０１）に嵌め込んで、ＦＰＣ基板３０９の上に遮光板１４０１を積層した構造となっている。なお、遮光板１４０１は、ＦＰＣ基板３０９上に配置された各ＬＥＤ３０７を開口部（５０１、１６０１）に嵌め込まず、ＬＥＤ３０７の上層に積層する構成としても良い。その際、遮光板１４０１の各開口部（５０１、１４０１）には、ＬＥＤ３０７がそれぞれ１つ対向して配置される。また、デジタル時計１４００は、遮光板１４０１の上に、時の表記１２０１または月の表記１３０１が裏面に印刷された文字板１４０２を積層した構造となっている。
【００８１】
文字板１４０２は、時の表記１２０１または月の表記１３０１を示す文字が裏面に印刷され、時刻表記または日付表記が映し出される板状部材である。文字板１４０２は、裏面の時の表記１２０１または月の表記１３０１を示す文字以外の部分から、ＬＥＤ３０７から発光された光を所定の透過率で透過させて、当該文字の影を投影して時の表記１２０１または月の表記１３０１をデジタル表示する。また、文字板１４０２の時の表記１２０１または月の表記１３０１を示す文字以外の部分の光透過率は、好ましくは、３０〜７０％とする。
【００８２】
図１５は、文字板１４０２の裏面に印刷された時の表記１２０１または月の表記１３０１を示す文字の印字例を示した説明図である。時の表記１２０１または月の表記１３０１を示す文字１５０１は、ＦＰＣ基板３０９上に配置された第２の発光素子群４０２の各ＬＥＤ３０７に対向する位置に印刷されている。本実施の形態にかかる文字板１４０２の裏面には、第２の発光素子群４０２の各ＬＥＤ３０７に対向する位置に、一般的なアナログ時計における各時刻数字が時の表記１２０１または月の表記１３０１を示す文字１５０１として印刷されている。
【００８３】
これにより、第２の発光素子群４０２が有するＬＥＤ３０７から発光された光は、文字１５０１部分により遮光される。つまり、本実施の形態にかかるデジタル時計１４００は、文字板１５０１の裏面に印刷された文字１５０１の影を投影することにより、時の表記１２０１または月の表記１３０１をデジタル表示する。なお、文字１５０１は、時の表記１２０１または月の表記１３０１を識別することができるものであれば良い。
【００８４】
図１４に戻り、遮光板１４０１は、ＬＥＤ３０７から発光された光の散乱を、各ＬＥＤ３０７に対向する位置に穿孔された開口部（５０１、１６０１）以外の部分により遮光する。
【００８５】
図１６は、遮光板１４０１の表裏を貫通して穿孔された開口部（５０１、１６０１）の例を示した説明図である。開口部（５０１、１６０１）は、ＦＰＣ基板３０９上に配置された第１の発光素子群４０１および第２の発光素子群４０２の各ＬＥＤ３０７に対向する位置に穿孔されている。本実施の形態にかかる遮光板３０６は、第１の実施の形態の構成に加え、第２の発光素子群４０２の各ＬＥＤ３０７に対向する位置に、円形状の開口部１６０１が穿孔されている。
【００８６】
各開口部１６０１には、ＬＥＤ３０７がそれぞれ１つ対向して配置される。これにより、ＬＥＤ３０７から発光された光は、開口部１６０１以外の部分により遮光される。一方、開口部１６０１を通過した光は、文字板１４０２の裏面に印刷された文字の影を投影して、時の表記１２０１または月の表記１３０１をデジタル表示する。
【００８７】
なお、第２の発光素子群４０２のＬＥＤ３０７に対向する位置に穿孔された開口部１６０１は第２の開口部を構成する。
【００８８】
また、開口部１６０１は、各開口が文字板１４０２の裏面に印刷された各文字１５０１を包含できるものであれば良い。
【００８９】
上述の第２の実施の形態にかかるデジタル時計１４００の構成により、図１２または図１３に示した日時の表示が可能となる。具体的には、本実施の形態にかかるデジタル時計１４００は、第１の実施の形態の構成に加え、第２の発光素子群４０２が有するＬＥＤ３０７のうちいずれか１つから発光される光を開口部１６０１により導光し、文字板１４０２の裏面に印刷された文字１５０１の影を投影して時の表記１２０１または月の表記１３０１をデジタル表示する。
【００９０】
（このように、第２の実施の形態にかかるデジタル時計１４００は、上述した構成を有することにより、第１の実施の形態の効果に加え、文字板１４０２の裏面に印刷された文字１５０１の影を投影して時の表記１２０１または月の表記１３０１をデジタル表示するため、複雑な文字を有する時の表記１２０１または月の表記１３０１であっても、当該文字により時の表記１２０１または月の表記１３０１をデジタル表示することができる。）
【００９１】
（第３の実施の形態）
第３の実施の形態にかかるデジタル時計では、文字板と遮光板との間に時の表記または月の表記が印刷された透明シートを積層する。これにより、本実施の形態にかかるデジタル時計は、透明シートに印刷された文字によりＬＥＤから発光された光を遮り、当該文字の影を投影して時の表記または月の表記をデジタル表示するものである。なお、本実施の形態にかかるデジタル時計の時刻表記または日付表記の表示例は、図１２および図１３に示した表示例と同様である。
【００９２】
図１７は、第３の実施の形態にかかるデジタル時計１７００の構造を示す断面図である。本図に示すように、このデジタル時計１７００は、裏ブタ３０１と、電池３０２と、リジット基板３０３と、ＬＥＤ駆動回路３０４と、遮光板１４０１と、ＬＥＤ３０７と、透明シート１７０１と、文字板３０８と、ＦＰＣ基板３０３と、ケース３１０と、風防ガラス３１１と、を備えている。以下の説明では、上述した第１の実施の形態または第２の実施の形態と同一の構成要素には同一の符号を付してその説明を省略している。
【００９３】
本実施の形態にかかるデジタル時計１７００は、第１の実施の形態および第２に実施の形態と同様の構造により形成された外形の中に、電池３０２と、ＦＰＣ基板３０９と、リジット基板３０３と、ＬＥＤ３０７と、ＬＥＤ駆動回路３０４と、遮光板１４０１と、透明シート１７０１と、文字板３０８とを収納した内部構造となっている。
【００９４】
具体的には、本実施の形態にかかるデジタル時計１７００は、第１の実施の形態または第２の実施の形態の構成に加え、遮光板１４０１の上に時の表記１２０１または月の表記１３０１が印刷された透明シート１７０１を積層した構造となっている。さらに、デジタル時計１７００は、透明シート１７０１の上に文字板３０８を積層した構造となっている。
【００９５】
透明シート１７０１は、時の表記１２０１または月の表記１３０１を示す文字が印刷され、当該文字以外の部分が光を反射も屈折もせず通過させる透明部材である。本実施の形態にかかる透明シート１７０１は、ＬＥＤ３０７から光が発光されると、時の表記１２０１または月の表記１３０１を示す文字以外の部分で光を透し、当該文字の影を投影して時の表記１２０１または月の表記１３０１をデジタル表示する。
【００９６】
図１８は、透明シート１７０１の表面に印刷された時の表記１２０１または月の表記１３０１を示す文字の印字例を示した説明図である。時の表記１２０１または月の表記１３０１を示す文字１８０１は、ＦＰＣ基板３０９上に配置された第２の発光素子群４０２の各ＬＥＤ３０７に対向する位置に印刷されている。本実施の形態にかかる透明シート１７０１の表面には、第２の発光素子群４０２の各ＬＥＤ３０７に対向する位置に、一般的なアナログ時計における各時刻数字が時の表記１２０１または月の表記１３０１を示す文字１８０１として印刷されている。
【００９７】
これにより、第２の発光素子群４０２が有するＬＥＤ３０７から発光された光は、文字１８０１部分により遮光される。つまり、本実施の形態にかかるデジタル時計１７００は、透明シート１７０１の表面に印刷された文字１８０１の影を投影することにより、時の表記１２０１または月の表記１３０１をデジタル表示する。なお、文字１８０１は、各文字から時の表記１２０１または月の表記１３０１を識別することができるものであれば良い。
【００９８】
このように、第３の実施の形態にかかるデジタル時計１７００は、上述した構成を有することにより、第１の実施の形態の効果に加え、透明シート１７０１の表面に印刷された文字１８０１の影を投影して時の表記１２０１または月の表記１３０１をデジタル表示するため、複雑な文字を有する時の表記１２０１または月の表記１３０１であっても、当該文字により時の表記１２０１または月の表記１３０１をデジタル表示することができる。
【００９９】
（第４の実施の形態）
上述の第１〜３の実施の形態においては、分の表記１０１または日の表記２０１の各文字のみを７セグメントのＬＥＤ３０７により表示することとした。これにより、モジュールサイズを小さくし、女性用など小型サイズの腕時計においても、安価なＬＥＤ３０７による時刻表記または日付表記を可能とした。そこで、第４の実施の形態においては、第２の実施の形態の構成に加え、通常のアナログ時計を実装して、時刻表記と日付表記とを同時に表示可能なデジタル時計を安価に実現するものである。
【０１００】
図１９は、本実施の形態にかかるデジタル時計により表示される時刻表記の表示例を示した説明図である。図１９に示した時刻表記では、デジタル表示およびアナログ時計共に、１時３４分を表している。このように、本実施の形態においては、第２の実施の形態にかかるデジタル時計１４００の時刻表記に加え、秒針１９０１、分針１９０２、および時針１９０３により時刻を指し示すアナログ時計により時刻を表示する。
【０１０１】
また、本実施の形態にかかるデジタル時計は、日付表記とアナログ時計による時刻とを同時に表示しても良い。図２０に示した日付表記およびアナログ時計による時刻では、日付表記が１月３１日、アナログ時計による時刻が１時３４分を表している。このように、本実施の形態においては、第２の実施の形態にかかるデジタル時計１４００の日付表記に加え、秒針１９０１、分針１９０２、および時針１９０３により時刻を指し示すアナログ時計により時刻を表示する。
【０１０２】
図２１は、第４の実施の形態にかかるデジタル時計２１００の構造を示す断面図である。本図に示すように、このデジタル時計２１００は、裏ブタ３０１と、電池３０２と、リジット基板３０３と、ＬＥＤ駆動回路３０４と、遮光板１４０１と、ＬＥＤ３０７と、文字板１４０２と、ＦＰＣ基板３０９と、ケース３１０と、風防ガラス３１１と、秒針１９０１と、分針１９０２と、時針１９０３と、ムーブメント２１０１と、時計駆動回路２１０２と、リューズ２１０３と、運針軸２１０４と、巻真２１０５と、を備えている。以下の説明では、上述した第２の実施の形態と同一の構成要素には同一の符号を付してその説明を省略している。
【０１０３】
本実施の形態にかかるデジタル時計２１００は、第２の実施の形態の構成に加え、ケース３１０の側面側端面に時計駆動回路２１０２により駆動する秒針１９０１、分針１９０２、および時針１９０３が指し示す時刻を合わせるリューズ２１０３を備え、ケース３１０と裏ブタ３０１と風防ガラス３１１とリューズ２１０３とでデジタル時計２１００の外形を形成している。
【０１０４】
そして、デジタル時計２１００は、ケース３１０と裏ブタ３０１と風防ガラス３１１とリューズ２１０３とで形成された外形の中に、第２の実施の形態の構成に加え、秒針１９０１と、分針１９０２と、時針１９０３と、ムーブメント２１０１と、時計駆動回路２１０２と、運針軸２１０４と、巻真２１０５と、を収納した内部構造となっている。
【０１０５】
具体的には、デジタル時計２１００は、第２の実施の形態の構成に加え、電池３０２の上方にムーブメント２１０１を設け、さらにムーブメント２１０１に隣接して時計駆動回路２１０２を配置する。なお、ムーブメント２１０１の側面側端面には、リューズ２１０３とムーブメント２１０１とを接続する巻真２１０５が設けられている。また、デジタル時計２１００は、ムーブメント２１０１の中心に秒針１９０１、分針１９０２、時針１９０３の運針軸２１０４を、上方に向かって設けている。運針軸２１０４は、ムーブメント２１０１から上方に配置されるＦＰＣ基板３０９、遮光板１４０１、および文字板１４０２を貫通して、文字板１４０２の上面に露出する。そして、運針軸２１０４の先端には、時針１９０３、分針１９０２、秒針１９０１が順に文字板１４０２から風防ガラス３１１へ向かって設けられている。
【０１０６】
時計駆動回路２１０２は、時間の経過による時刻の進行に伴い、電池３０２からの電力の供給によりムーブメント２１０１を駆動する回路である。
【０１０７】
ムーブメント２１０１は、時計駆動回路２１０２からの電力の供給により秒針１９０１、分針１９０２、および時針１９０３を回転駆動させる。
【０１０８】
上述の第４の実施の形態にかかるデジタル時計２１００の構成により、図１９または図２０に示した日時の表示が可能となる。具体的には、本実施の形態にかかるデジタル時計２１００は、第２の実施の形態の構成に加え、アナログ時計により時刻を表示する。
【０１０９】
このように、第４の実施の形態にかかるデジタル時計２１００では、第２の実施の形態の効果に加え、通常のアナログ時計を実装して、時刻表記と日付表記とを同時に表示可能なデジタル時計を安価に実現することができる。
【図面の簡単な説明】
【０１１０】
【図１】第１の実施の形態にかかるデジタル時計により表示される時刻表記の表示例を示した説明図である。
【図２】第１の実施の形態にかかるデジタル時計により表示される日付表記の表示例を示した説明図である。
【図３】第１の実施の形態にかかるデジタル時計の構造を示す断面図である。
【図４】ＬＥＤの配置例を示した説明図である。
【図５】遮光板に穿孔された開口部の例を示した説明図である。
【図６】変形例３にかかるデジタル時計により表示される時刻表記の表示例を示した説明図である。
【図７】ＬＥＤの配置例を示した説明図である。
【図８】遮光板に穿孔された開口部の例を示した説明図である。
【図９】変形例４にかかるデジタル時計により表示される時刻表記の表示例を示した説明図である。
【図１０】ＬＥＤの配置例を示した説明図である。
【図１１】遮光板に穿孔された開口部の例を示した説明図である。
【図１２】第２の実施の形態にかかるデジタル時計により表示される時刻表記の表示例を示した説明図である。
【図１３】第２の実施の形態にかかるデジタル時計により表示される日付表記の表示例を示した説明図である。
【図１４】第２の実施の形態にかかるデジタル時計の構造を示す断面図である。
【図１５】文字板の裏面に印刷された時の表記または月の表記を示す文字の印字例を示した説明図である。
【図１６】遮光板に穿孔された開口部の例を示した説明図である。
【図１７】第３の実施の形態にかかるデジタル時計の構造を示す断面図である。
【図１８】透明シートに印刷された時の表記または月の表記を示す文字の印字例を示した説明図である。
【図１９】第４の実施の形態にかかるデジタル時計により表示される時刻表記の表示例を示した説明図である。
【図２０】第４の実施の形態にかかるデジタル時計により表示される日付表記および時刻の表示例を示した説明図である。
【図２１】第４の実施の形態にかかるデジタル時計の構造を示す断面図である。
【図２２】従来のデジタル時計のＬＥＤの配置例を示した説明図である。
【図２３】従来のデジタル時計の遮光板に穿孔された開口部の例を示した説明図である。
【符号の説明】
【０１１１】
３００、１４００、１７００、２１００  デジタル時計
３０１  裏ブタ
３０２  電池
３０３  リジット基板
３０４  ＬＥＤ駆動回路
３０６、１４０１  遮光板
３０７  ＬＥＤ
３０８、１４０２  文字板
３０９  ＦＰＣ基板
３１０  ケース
３１１  風防ガラス
５０１、５０２、１６０１  開口部
１７０１  透明シート
１９０１  秒針
１９０２  分針
１９０３  時針
２１０１  ムーブメント
２１０２  時計駆動回路
２１０３  リューズ
２１０４  運針軸
２１０５  巻真
【図１】
2008309635.tif 000003
【図２】
2008309635.tif 000004
【図３】
2008309635.tif 000005
【図４】
2008309635.tif 000006
【図５】
2008309635.tif 000007
【図６】
2008309635.tif 000008
【図７】
2008309635.tif 000009
【図８】
2008309635.tif 000010
【図９】
2008309635.tif 000011
【図１０】
2008309635.tif 000012
【図１１】
2008309635.tif 000013
【図１２】
2008309635.tif 000014
【図１３】
2008309635.tif 000015
【図１４】
2008309635.tif 000016
【図１５】
2008309635.tif 000017
【図１６】
2008309635.tif 000018
【図１７】
2008309635.tif 000019
【図１８】
2008309635.tif 000020
【図１９】
2008309635.tif 000021
【図２０】
2008309635.tif 000022
【図２１】
2008309635.tif 000023
【図２２】
2008309635.tif 000024
【図２３】
2008309635.tif 000025